(57)【要約】【課題】生分解性シートにて紙飛行機を形成し、この胴体前部に植物の種子を取付けることにより、紙飛行機を飛ばした後に回収不能な場所に着陸して放置されてもゴミにならず、取付けた種子が根付いて花等を咲かせる。【解決手段】紙飛行機は、胴体１１と、三角翼１２とを備える。胴体１１と三角翼１２は生分解性シートにより形成される。この紙飛行機の胴体１１の前部に植物の種子１５が取付けられる。【選択図】図１
2007228915.tif 000002
【特許請求の範囲】
【請求項１】
胴体(11，51)と、三角翼(12)又は主翼(52)及び尾翼(53)とを備え、前記胴体(11，51)と前記三角翼(12)又は主翼(52)及び尾翼(53)とが生分解性シートにより形成された紙飛行機において、
前記胴体(11，51)の前部に植物の種子(15)が取付けられたことを特徴とする種付き紙飛行機。
【請求項２】
植物の種子(15)は、胴体(11，51)の前部に水溶性シール(16)で取付けられた請求項１記載の種付き紙飛行機。
【請求項３】
胴体(11)と、三角翼(12)又は主翼及び尾翼とが生分解性シートを折畳むことにより形成され、植物の種子(15)が胴体(11)の前部に包込まれた請求項１又は２記載の種付き紙飛行機。
【請求項４】
胴体(11)の前部に生分解性シートを折畳むことによりおもり部(17)が形成され、植物の種子(15)が前記おもり部(17)に包込まれた請求項３記載の種付き紙飛行機。
【請求項５】
胴体(51)が、前部に孔(51c)が形成された芯紙(51a)と、この芯紙(51a)の両面に接着される一対の薄紙(51b)とを有し、植物の種子(15)が前記孔(51c)に挿入されて、前記一対の薄紙(51b)により挟持された請求項１又は２記載の種付き紙飛行機。
【請求項６】
植物の種子(15)の重量は、この植物の種子(15)を除いた紙飛行機の重量の３分の１以下である請求項１ないし５いずれか１項に記載の種付き紙飛行機。
【発明の詳細な説明】
【技術分野】
【０００１】
本発明は、折り紙や画用紙等により形成された紙飛行機に関する。更に詳しくは、植物の種子が取付けられた紙飛行機に関するものである。
【背景技術】
【０００２】
従来、紙飛行機は、和紙、カラーフォイル、プラスチックフィルム等の折り紙を折ったり、或いは色画用紙、工作用紙、段ボール紙等を切貼りすることで作製されていた。
しかし、これらの紙飛行機を飛ばして遊んだとき、紙飛行機が山林等の遠隔地や他人の庭等に着陸した場合には、飛ばした当人による回収は不可能となり、そのまま放置されてごみになる問題があった。
そこで、紙飛行機の素材となる折り紙の分野において、分解性プラスチックを主な原料とするプラスチックフィルムからなる折り紙が提案されている（例えば、特許文献１参照。）。
特許文献１に示される折り紙は、ポリ乳酸プラスチックフィルムからなるため、一定条件の温度や湿度による加水分解後、微生物による酵素分解を受けて最終的に炭酸ガスと水に分解される。特に、土中のように高温多湿下においては、ポリ乳酸の分解が急速に進むため一週間以内に折り紙を炭酸ガスと水に分解させることもでき、環境に悪影響を及ぼすおそれが少ない。
【特許文献１】特開２００４−１６６８２８号公報（請求項１、請求項２、段落［０００１５］、［００１６］、［００１７］、［００１８］、図１）
【発明の開示】
【発明が解決しようとする課題】
【０００３】
しかし、上記従来の特許文献１に示された折り紙を用いて作製された紙飛行機を飛ばし、この紙飛行機が山林等の人の入り込むことのできない場所に着陸した場合、その折り紙の有する生分解性により、上記紙飛行機は最終的に炭酸ガスと水に分解されるけれども、その着陸した場所に新たに植物を発芽させて花等を咲かせることはできなかった。
本発明の目的は、生分解性シートにて形成し、胴体前部に植物の種子を取付けることにより、飛ばした後に回収不能の場所に着陸し放置されてもゴミとならず、取付けた植物の種子が根付いて花等を咲かせることができる、種付き紙飛行機を提供することにある。
本発明の別の目的は、植物の種子をおもりとして又はおもりの一部として用いることにより、飛行バランスを最適な状態にすることができる、種付き紙飛行機を提供することにある。
【課題を解決するための手段】
【０００４】
請求項１に係る発明は、図１〜図４に示すように、胴体１１と、三角翼１２又は主翼及び尾翼とを備え、上記胴体１１と、三角翼１２又は主翼及び尾翼が生分解性シート１３により形成された紙飛行機の改良である。
その特徴ある構成は、胴体１１の前部に植物の種子１５が取付けられたところにある。
この請求項１に記載された種付き紙飛行機では、胴体１１の前部に植物の種子１５を取付けることにより、これをおもりとすることができ、紙飛行機１０の飛行バランスを最適な状態にすることができる。生分解性シート１３からなる紙飛行機１０は、一定条件を満たす温度や湿度による加水分解後、微生物による酵素分解を経て最終的に炭酸ガスと水に分解されて自然環境の循環系に還る。紙飛行機１０に取付けられた植物の種子１５だけが最終的に残り、このうちの何割かが土に根付いて花等を咲かせることができる。
【０００５】
請求項２に係る発明は、請求項１に係る発明であって、更に図１及び図３に示すように、植物の種子１５が、胴体１１の前部に水溶性シール１６で取付けられたことを特徴とする。
この請求項２に記載された種付き紙飛行機では、植物の種子１５を水溶性シール１６で胴体１１前部に貼るので、山林や他人の庭等に放置された紙飛行機１０が風雨に曝されて水溶性シール１６が溶け、紙飛行機１０が自然分解される前に植物の種子１５が紙飛行機１０から離脱して速やかに地面等に落ちることができる。
【０００６】
請求項３に係る発明は、請求項１又は２に係る発明であって、更に図１及び図３に示すように、胴体１１と、三角翼１２又は主翼及び尾翼とが生分解性シート１３を折畳むことにより形成され、植物の種子１５が胴体１１の前部に包込まれたことを特徴とする。
この請求項３に記載された種付き紙飛行機では、植物の種子１５を生分解性シート１３を折畳むことで胴体１１の前部に包込むので、水溶性シール１６を用いなくても植物の種子１５を胴体１１に取付けることができる。一方、植物の種子１５をシート１３で包込むときにこの種子１５を水溶性シール１６でシート１３に取付ければ、種付き紙飛行機１０を飛ばし、この紙飛行機１０の飛行中にシート１３の折り目が開いても、種子１５が紙飛行機１０から落ちることはない。
【０００７】
請求項４に係る発明は、請求項３に係る発明であって、図１及び図３に示すように、胴体１１の前部に生分解性シート１３を折畳むことによりおもり部１７が形成され、植物の種子１５がおもり部１７に包込まれたことを特徴とする種付き紙飛行機である。
この請求項４に記載された種付き紙飛行機では、おもり部１７を生分解性シート１３を折畳んで形成し、このおもり部１７の中に植物の種子１５を包込んだので、植物の種子１５の重量もおもり部１７の重量に加えられる。この結果、おもり部１７の折り方のみならず植物の種子１５の数や大きさを変更することにより、おもり部１７の全重量を微調整することができ、紙飛行機１０の飛行バランスを更に最適な状態とすることができる。
【０００８】
請求項５に係る発明は、請求項１又は２に係る発明であって、更に図５及び図６に示すように、胴体５１が、前部に孔５１ｃが形成された芯紙５１ａとこの芯紙５１ａの両面に接着される一対の薄紙５１ｂとを有し、植物の種子１５が孔５１ｃに挿入されて、一対の薄紙５１ｂにより挟持されたことを特徴とする種付き紙飛行機である。
この請求項５に記載された種付き飛行機では、植物の種子１５を芯紙５１ａの孔５１ｃに挿入して一対の薄紙５１ｂにより挟持することで、水溶性シール１６を用いなくても胴体５１に取付けることができる。なお植物の種子１５を水溶性シール１６により胴体５１に取付ければ、植物の種子１５の胴体５１への取付強度を更に向上することができる。
【０００９】
請求項６に係る発明は、請求項１ないし５いずれか１項に係る発明であって、更に図１に示すように、植物の種子１５の重量が、この植物の種子１５を除いた紙飛行機の重量の３分の１以下であることを特徴とする。
この請求項６に記載された種付き紙飛行機では、植物の種子１５自体の重さ、大きさ、個数、或いは植物の種子１５の種類を変更して、胴体１１前部に取付ける植物の種子１５の重量を紙飛行機自体の重量の３分の１以下とすることで、重量バランスを最適な状態にすることができる。この結果、種付き紙飛行機１０の飛行距離を延ばすことができる。
【発明の効果】
【００１０】
以上述べたように、本発明によれば、紙飛行機の胴体の前部に植物の種子を取付けたので、この種子をおもりとして利用できる。このとき、植物の種子の重さ、大きさ、個数、或いは種子の種類を変更しておもりの重さを微調整することができ、紙飛行機の飛行バランスを最適な状態にすることができる。この結果、紙飛行機の飛行距離を延ばすことができる。また、生分解性シートにより紙飛行機を形成したので、加水分解後、酵素分解等を経て炭酸ガスと水に分解される。この結果、紙飛行機を飛ばして山林や他人の庭に着陸してしまい回収できず紙飛行機がそのまま放置された場合でもゴミとならず、自然環境の循環系に還すことができる。更に、紙飛行機が生分解した後は植物の種子だけが残るので、この種子が土に根付いて花等を咲かせることができる。
【発明を実施するための最良の形態】
【００１１】
次に本発明を実施するための最良の形態を図面に基づいて説明する。
＜第１の実施の形態＞
図１及び図２に示すように、紙飛行機１０は胴体１１と三角翼１２とを備える。胴体１１及び三角翼１２は生分解性シート１３を折畳むことにより形成される。
上記生分解性シートとしては、折曲げたときに折曲げた状態にほぼ維持されるとともに、山林等に放置したときに速やかに分解するものを用いることが好ましい。具体的には、生分解性シートとしては、バイオマックス（デュポン社製のポリエステルのコポリマーからなる生分解性プラスチック）、レイシア（三井化学社製のポリ乳酸樹脂）、ＭＤＰ（三島製紙社製の木材パルプからなり分散性を高めた水溶紙）、或いはさとうきび（バガス）を原料とするいわゆるエコ用紙又は和紙等が挙げられる。また、環境汚染防止の観点から塩素系の漂白工程を経ていないシートを用いることが好ましい。
【００１２】
上記胴体１１の前部には、植物の種子１５が取付けられる。ここで、植物とは、種子植物のうち花卉類、観葉植物、食物を示す。具体的には、矢車草、コスモス等が挙げられる。また胴体１１の前部には、生分解性シート１３を折畳むことによりおもり部１７が形成される。即ち、上記植物の種子１５はおもり部１７に包込まれるように構成される。具体的には、先ず生分解性シート１３を数回折畳んで図３（ａ）に示すような略ホームベース状に形成する。次いでこのシート１３の胴体１１の前部となる位置に２つの植物の種子１５を置いた後、これらの種子１５を水溶性シール１６でそれぞれシート１３に固定する。次に上記種子１５を包込むようにシート１３の胴体１１の前部となる部分を折畳む。（図３（ｂ））。更にシート１３を折畳むことにより所望の紙飛行機１０が得られる。上記種子１５はおもり部１７とともに紙飛行機１０の飛行バランスを保つためのおもりとなる。なお、シート１３の折りの合わせ目については、目標とする折れ線に沿ってシート１３を折るとき、折れ線と合わせる辺の間にそれぞれ０．５〜２ｍｍのすき間をあけるとよい。折れ線に辺をきちんと合わせすぎると、その折れ線が谷折りになったときに、その一部が上にたくれてしまい、折りがだぶついて紙飛行機の性能が悪くなるからである。またシート１３には、このシート１３を折畳んで紙飛行機１０を作製したとき表面となる部分に、上記植物の種子１５の名称、例えば「矢車草」を表示することが好ましい（図２及び図４）。
【００１３】
このように構成された紙飛行機の動作を説明する。
先ず、紙飛行機１０の胴体１１の前部に植物の種子１５を取付けたので、この種子１５をおもり部１７とともにおもりとして利用できる。このとき、植物の種子１５の重さ、大きさ、個数、或いは種子の種類を変更することでおもりの重さを微調整することができ、紙飛行機の飛行バランスを最適な状態にすることができる。この結果、紙飛行機の飛行距離を延ばすことができる。また水溶性シール１６で種子１５をシート１３に固定したので、シート１３に粒状の種子１５をも取付けることができるとともに、紙飛行機１０の飛行中にシート１３の折り目が開いても、種子１５が紙飛行機１０から落ちない。
【００１４】
また、生分解性シート１３により紙飛行機１０を形成したので、一定の温度や湿度によって加水分解された後、微生物による酵素分解等を経て炭酸ガスと水に分解される。この結果、紙飛行機１０を飛ばして山林や他人の庭に着陸してしまい回収できず、紙飛行機１０がそのまま放置された場合でもゴミとならず、自然環境の循環系に還すことができる。更に、紙飛行機１０が生分解した後は植物の種子１５だけが残るので、この種子１５の何割かが土に根付くことで、紙飛行機１０が着陸した近辺で、葉を茂らせたり、花を咲かせたり、実を実らせたりすることができる。また、紙飛行機１０に取付ける植物の種子１５を、紙飛行機１０を飛ばす近辺の山林の植生と同じ在来種に限定することで、生態系のバランスを崩さない。更に上記紙飛行機１０が他人の庭に着陸した場合、この庭の持ち主等が紙飛行機１０の表面に表示された「矢車草」という文字を見て、この紙飛行機１０のおもり部１７を図４に示すように庭の土１８に埋めることにより、種子１５の根付く確率は更に高くなる。
【００１５】
なお、上記第１の実施の形態では、胴体と三角翼とを備える種付き紙飛行機を記載したが、三角翼の代わりに主翼及び尾翼を備えてもよい。
また、上記第１の実施の形態では、紙飛行機の表面に植物の名称を表示したが、「種付き、土に還るよ」等の文章を表示してもよい。
＜第２の実施の形態＞
図５〜図７は本発明の第２の実施の形態を示す。
本実施の形態では、種付き紙飛行機５０は、胴体５１と主翼５２と尾翼５３を備える。胴体５１、主翼５２及び尾翼５３はすべて生分解性シートにより形成される。胴体５１は、図５に示すように、前部に孔５１ｃが形成された一対の芯紙５１ａと、孔５１ｃを有さず芯紙５１ａより薄いシートにより芯紙５１ａと同一形状に形成された一対の薄紙５１ｂとからなる。芯紙５１ａは、図６に示すように、主翼５２及び尾翼５３を取付ける背側が直線に形成される。芯紙５１ａの前面は円弧状に形成され、孔５１ｃは、芯紙５１ａの先端面の円弧の中心にほぼ位置するように形成される。
孔５１ｃの直径及び一対の芯紙５１ａの相対する面同士を糊等で接着したときの孔５１ｃの深さは、この孔５１ｃに収容される植物の種子１５の直径よりもそれぞれ２〜３ｍｍ大きく形成される。これにより、芯紙５１ａへの種子１５の取付作業をスムーズに行える。
【００１６】
次いで、植物の種子１５を取付けた芯紙５１ａの両面に薄紙５１ｂを糊等を用いて貼る。これにより種子１５が取付けられた孔５１ｃが閉じられて種子１５が一対の薄紙５１ｂにより挟持されるため、種子１５が紙飛行機５０から離脱することがない。このようにして胴体５１が形成される。なお、胴体５１の前部には下方に延びる略三角形状の突起５１ａが設けられる。この突起５１ａを含む胴体５１の前部がおもり部５７となり、種子１５はおもり部５７とともに紙飛行機５０の飛行バランスを保つためのおもりとなる。
次に、この胴体５１の背側の長手方向中央に、主翼５２を取付ける。主翼５２は、略半楕円状部を胴体５１を中心に線対称となるように一体的に形成される。この主翼５２を胴体５１の背側の略中央に糊等で接着する。この主翼５２により揚力が得られ、紙飛行機を飛ばすことができる。続いて、この胴体５１の背側の後端部に尾翼５３、この場合は水平尾翼５３を取付ける。水平尾翼５３は主翼５２より小さく形成され、主翼５２と同様に糊等で胴体５１に接着される。更に主翼５２の表面には植物の種子１５の名称、例えば「矢車草」という文字を表示することが好ましい（図６及び図７）。
【００１７】
このように構成された紙飛行機５０では、植物の種子１５の個数、大きさ等を変更することによりおもりの重量を微調整できる。この結果、紙飛行機５０の飛行バランスを最適な状態にすることができるので、紙飛行機５０の飛行距離を延ばすことができる。また芯紙５１ａの厚みや孔５１ｃの直径は、収容する種子１５の個数、大きさに伴って変更できるため、球状の立体的な種子１５も取付けることができる。
更に、上記紙飛行機５０が他人の庭に着陸した場合、この庭の持ち主が紙飛行機５０の主翼５２に表示された「矢車草」という文字を見て、この紙飛行機５０のおもり部５７を図７に示すように庭の土５８に埋めることにより、植物の種子１５が土５８に根付く確率は更に高くなる。
なお、上記第２の実施の形態では、胴体と主翼と尾翼とを備えた紙飛行機を挙げたが、胴体と三角翼とを備えた紙飛行機であってもよい。
また上記第２の実施の形態では、主翼に植物の名称を表示したが、「種付き、土に還るよ」等の文章を表示してもよい。
更に、上記第１及び第２の実施の形態では、植物の種子をシートに取付ける紙飛行機を記載したが、あらかじめ植物の種子を抄込んだ和紙を用いて紙飛行機を作製してもよい。
【図面の簡単な説明】
【００１８】
【図１】本発明第１実施形態の種付き紙飛行機を示す図２のＡ部拡大斜視図である。
【図２】その種付き紙飛行機の斜視図である。
【図３】（ａ）は紙飛行機を途中で折畳んで植物の種子を取付けた平面図であり、（ｂ）はその種子をシートで包込んだ状態を示す平面図である。
【図４】その種付き紙飛行機を土に埋めた状態を示す図である。
【図５】第２実施形態の種付き紙飛行機を示す図６のＢ部拡大分解斜視図である。
【図６】その種付き紙飛行機の斜視図である。
【図７】その種付き紙飛行機を土に埋めた状態を示す図である。
【符号の説明】
【００１９】
１０，５０  種付き紙飛行機
１１，５１  胴体
１２  三角翼
１５  植物の種子
１６  水溶性シール
１７，５７  おもり部
５１ａ芯紙
５１ｂ薄紙
５１ｃ孔
５２  主翼
５３  尾翼
【図１】
2007228915.tif 000003
【図２】
2007228915.tif 000004
【図３】
2007228915.tif 000005
【図４】
2007228915.tif 000006
【図５】
2007228915.tif 000007
【図６】
2007228915.tif 000008
【図７】
2007228915.tif 000009